(57)【要約】      （修正有）【課題】適宜な貼着力を具えて床、或いは壁面から剥がれにくい床又は壁面タイルを提供する。【解決手段】床又は壁面タイルの背面に複数の幾何学状の係合フックを一体に形成する。製造過程において型抜きをする場合に便利で、凹溝５０の最も幅が広い部分を型抜きする場合、直接型抜き溝６０から取り出することができ、先端部５１に亀裂が入る状況を大幅に抑えることができる。【選択図】図５
0003143325.tif 000002
【実用新案登録請求の範囲】
【請求項１】
床又は壁面タイルの背面に複数の幾何学状の係合フックを一体に形成することを特徴とする床又は壁面タイル。
【請求項２】
前記床又は壁面タイルが、背面に複数の凹溝を具えてなり、係合フックが該凹溝の端縁部の内側に傾斜して延伸した先端部であることを特徴とする請求項１に記載の床又は壁面タイル。
【請求項３】
前記床又は壁面タイルが、表面にアレイ式に間隔をおいて複数の凹溝を形成し、該凹溝が内側に傾斜して延伸した逆さフォーク状の係合フックであることを特徴とする請求項１に記載の床又は壁面タイル。
【考案の詳細な説明】
【技術分野】
【０００１】
この考案は、建築材料に関し、特に建築物の壁面に設ける床又は壁面タイルに関する。
【背景技術】
【０００２】
従来の床又は壁面タイルは、床、或いは壁面など建築物に貼着することが求められるため、比較的好ましい強度を具えてなる。
【０００３】
該床又は壁面タイルの背面にはセメントなどが塗布されるとともに、若干の凹凸の歯型面が削り出されるため、床又は壁面タイルを建築物に貼着するために便利である。
【０００４】
施工の間、該建築物と床又は壁面タイルとの間には、セメントが均一に塗布されていないため、隙間が発生する。よって、一定の期間が経過すると、該床又は壁面タイルは隙間が熱による膨張或いは冷却による縮小で容易に突起が発生し、甚だしくは亀裂を形成する。
【０００５】
また、従来の壁面タイルは、セメントが乾くまで、背面と建築物の壁面との貼着力が不足した状態になる。
【０００６】
よって、何もタイルを支持固定するものがないと、セメントはタイルの重量を負担することができず、壁面から剥がれ落ちる。
【考案の開示】
【考案が解決しようとする課題】
【０００７】
この考案は、適宜な貼着力を具えて床、或いは壁面から剥がれ難くい床又は壁面タイルを提供することを課題とする。
【課題を解決するための手段】
【０００８】
そこで、本考案者は従来の技術に見られる欠点に鑑みて鋭意研究を重ねた結果、床又は壁面タイルの背面に複数の幾何学状の係合フックを一体に形成する床又は壁面タイルによって課題を解決できる点に着眼し、かかる知見に基づいて本考案を完成させた。
【０００９】
以下、この考案について具体的に説明する。
請求項１に記載の床又は壁面タイルが、床又は壁面タイルの背面に複数の幾何学状の係合フックを一体に形成する。
【００１０】
請求項２に記載の床又は壁面タイルが、請求項１における床又は壁面タイルの背面に複数の凹溝を具えてなり、係合フックが該凹溝の端縁部の内側に傾斜して延伸した先端部である。
【００１１】
請求項３に記載の床又は壁面タイルが、請求項１における床又は壁面タイルの表面にアレイ式に間隔をおいて複数の凹溝を形成し、該凹溝が内側に傾斜して延伸した逆さフォーク状の係合フックである。
【考案の効果】
【００１２】
この考案による床又は壁面タイルは、床、或いは壁面から剥がれ難いため、タイルが剥がれて居住者や通行人が怪我をするなどの危険性を防ぐという効果を有する。
【考案を実施するための最良の形態】
【００１３】
この考案は、適宜な貼着力を具えて床、或いは壁面から剥がれ難くい床又は壁面タイルであって、床又は壁面タイルの背面に複数の幾何学状の係合フックを一体に形成する床又は壁面タイルの構造と特徴を詳述するために具体的な実施例を挙げ、図示を参照にして以下に説明する。
【実施例】
【００１４】
図１、図２は、この考案の床又は壁面タイルを示したものである。図面によれば、この考案は、床又は壁面タイル１０を含んでなる。
【００１５】
該床又は壁面タイル１０は、背面に一体に成型された複数の係合フック２０（この実施形態における係合フック２０は、２個ずつ対向して設けられ排列するだけに限らず、同一方向、環状などの排列方法などを含み、この考案の実施形態と同様の効果を有する方法を具えていればよい）を設けてなる。
【００１６】
該係合フック２０は、幾何学状のフック（この考案の係合フック２０はＬ字状に限らず、Ｔ字状、湾曲などその他幾何学的な形状を含み、この考案の実施形態と同様の効果を有する形状であればよい）に形成される。
【００１７】
使用する場合、床又は壁面タイル１０を設ける建築物の表面にセメントを一層塗布する。該床又は壁面タイル１０を建築物の表面に貼着し、該係合フック２０をセメントに挿入して係合させる。
【００１８】
セメントが乾燥すると、該係合フック２０がセメントに被覆されているため、床又は壁面タイル１０が壁面から剥がれ落ちることを防ぐことができる。
【００１９】
図３に開示するように、該床又は壁面タイル１０は、背面に複数の長い棒状の凹溝５０を具えてなる。
【００２０】
該凹溝５０は、底部の幅が広く、且つ内壁面の端縁部が内側に向けて傾斜し、台形を逆さにした形状に形成する。
【００２１】
この実施形態における該係合フックは、該凹溝５０の内壁面の端縁部の内側に向けて傾斜して延伸した先端部５１であって、図４に開示するように、該先端部５１がセメント４０で緊密で確実に被覆されるため、比較的大きな範囲が係合される。
【００２２】
また、該係合フック２０の前端が鋭角で尖った形状に形成すると、セメント４０の内部に容易に挿入し係合することができる。
【００２３】
該凹溝５０は、製造において金型成型する場合、溝を形成する方向に沿って金型を引き出さなければならない。よって、正確に金型から抜き出さなければ、先端部５１に亀裂が入る可能性がある。
【００２４】
よって、図５から図７に開示する場合、該凹溝５０の端縁部が八の字を呈するように幅広く形成するとともに、凹溝５０の最も幅が広い又は最も幅が狭い部分に型抜き溝６０を設ける。
【００２５】
よって、製造過程において型抜きをする場合に便利で、凹溝５０の最も幅が広い部分を型抜きする場合、直接型抜き溝６０から取り出することができ、先端部５１に亀裂が入る状況を大幅に抑えることができる。
【００２６】
図８、図９に開示するように、この考案の床又は壁面タイル１０は、係合フックを具えた床又は壁面タイルで型抜きが簡単であるとともに、背面に間隔を具えて凹溝を形成し、該凹溝の内部にフォークを逆さにした形状の係合フックを形成する。
【００２７】
金型の表面にはアレイ式に排列して間隔をおいて複数の折り畳み式ブロック７０を固定して設ける。
【００２８】
該折り畳み式ブロック７０は、両側の軸に設けられた第一板状ブロック７１と、該第一板状ブロック７１の外側のもう一方の軸に設けられた第二板状ブロック７２と、該第二板状ブロック７２上に外方向に傾斜して形成され延伸した逆さフォーク面７２１とを含んでなる。
【００２９】
図１０から図１２に開示するように、金型の上方に材料を注入した後、固めて成型して床又は壁面タイル１０を形成する。
【００３０】
該床又は壁面タイル１０は、折り畳み式ブロック７０の第二板状ブロック７２の外側の逆さフォーク面７２１に対応する位置に内側に傾斜して延伸した係合フック２０を形成する。
【００３１】
床又は壁面タイル１０を金型から取り出す過程では、係合フック２０の係合状態を外して回動自在に設けた第二板状ブロックと、第一板状ブロックの内側を上方に向けて翼を広げる状態に引き上げればすばやく床又は壁面タイルを金型から外すことができる。
【００３２】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の特許請求の範囲に属するものとする。
【図面の簡単な説明】
【００３３】
【図１】この考案の床又は壁面タイルの一部を示した斜視図である。
【図２】図１に開示する床又は壁面タイルを示した断面図である。
【図３】この考案の床又は壁面タイルの他の実施形態を示した斜視図である。
【図４】図３に開示する床又は壁面タイルを設けた状態を示した断面図である。
【図５】この考案の床又は壁面タイルのその他の実施形態を示した斜視図である。
【図６】図５に開示する床又は壁面タイルを示した断面図である。
【図７】図５に開示する床又は壁面タイルを設けた状態を示した断面図である。
【図８】この考案の床又は壁面タイルの別の実施形態に設ける係合フックを示した分解図である。
【図９】図８に開示する係合フックをこの考案の床又は壁面タイルに組み合わせた状態を示した説明図である。
【図１０】この考案の床又は壁面タイルの別の実施形態を型抜きする状態を示した説明図である。
【図１１】この考案の床又は壁面タイルの別の実施形態を型抜きする状態を示した説明図である。
【図１２】この考案の床又は壁面タイルの別の実施形態を型抜きする状態を示した説明図である。
【符号の説明】
【００３４】
１０     床又は壁面タイル
２０     係合フック
３０     建築物
４０     セメント
５０     凹溝
５１     先端部
６０     型抜き溝
７０     折り畳み式ブロック
７１     第一板状ブロック
７２     第二板状ブロック
７２１   逆さフォーク面
【図１】
0003143325.tif 000003
【図２】
0003143325.tif 000004
【図３】
0003143325.tif 000005
【図４】
0003143325.tif 000006
【図５】
0003143325.tif 000007
【図６】
0003143325.tif 000008
【図７】
0003143325.tif 000009
【図８】
0003143325.tif 000010
【図９】
0003143325.tif 000011
【図１０】
0003143325.tif 000012
【図１１】
0003143325.tif 000013
【図１２】
0003143325.tif 000014